(57)【要約】【課題】ペットがフェンス１を越えるのを確実に防止することができるとともに、外観体裁もよい、ペット等のフェンス越え防止装置を提供することをその課題とする。【解決手段】ペット等の動物が出入りしないように配置されたフェンス１の上端又はその近傍から細長板状のプレート６を内側又は外側に突出させ、このプレート６を、好ましくは、その基部よりも先端側が低くなるように下向きに傾斜させて取り付けたことを特徴とする。なお、前記プレートが弾性を有し、かつ水平に設けても、またフェンスの内外両側に設けてもよい。【選択図】図３
2005330735.tif 000002
【特許請求の範囲】
【請求項１】
ペット等の動物が出入りしないように配置されたフェンスの上端又はその近傍から細長板状のプレートを内側又は外側に突出させたことを特徴とするペット等のフェンス越え防止装置。
【請求項２】
前記プレートを下向きに傾斜させて取り付けたことを特徴とする請求項１記載のペット等のフェンス越え防止装置。
【請求項３】
前記プレートが弾性を有し、かつ水平に設けたことを特徴とする請求項１記載のペット等のフェンス越え防止装置。
【請求項４】
前記プレートを、前記フェンスの内側又は外側に突出させることに代え、内外両側に取り付けたことを特徴とする請求項１に記載のペット等のフェンス越え防止装置。
【請求項５】
前記フェンスがネットフェンスであることを特徴とする請求項１、２、３又は４に記載のペット等のフェンス越え防止装置。
【請求項６】
前記プレートが透光性を備えたものであることを特徴とする請求項１、２、３、４又は５に記載のペット等のフェンス越え防止装置。
【発明の詳細な説明】
【技術分野】
【０００１】
本発明はペット等の動物が敷地に配置されたフェンスの外に出ないようにするためのペット等のフェンス越え防止装置に関するものである。
【背景技術】
【０００２】
最近のペットブームにより、一般の家庭でも高価な犬や猫などのペットを飼うようになっている。このようなペット、特に猫は家の中で飼うのが一般的であるが、ペットを一日中部屋の中に閉じ込めておくのは、ペットの健康上よくないほか、ストレスもたまる。そこで、部屋から出して庭で遊ばせると、ペットが庭の外、つまり敷地外に逃げてしまうおそれがある。
【０００３】
そこで、最近はペットが敷地外に逃走するのを防ぐために、敷地内にフェンスを設置し、ペットがフェンスの外に逃げられないようにすることが行われている。フェンスといっても、敷地と道路とを隔てるためのフェンスのように、格子やパネルを使ったものであると、太陽光が遮られて敷地内が暗くなるから、通常はネットフェンスを利用し、敷地内や屋内に太陽の光が十分に行き渡るように考慮されている。
【０００４】
ところが、ネットフェンスは猫が網目に足をかけることができるので、木にのぼるのと同じ要領でフェンスをよじ登り、フェンスを越えて外に出るおそれがある。そこで、害獣の侵入防止として行われているねずみ返しと同じように、フェンスの上端部を敷地内側に折り曲げて傾斜させ、ペットが傾斜したフェンス上端部を乗り越えられないようにしていた。
【特許文献１】実開昭６２−８６８７９号公報
【特許文献２】実開平０１−６６８７５号公報
【発明の開示】
【発明が解決しようとする課題】
【０００５】
しかしながら、フェンスの上端が敷地内側に傾斜していても、ネットフェンスの網目はペットの足掛かりとして都合のよい構造なので、ペットはそのオーバーハングした傾斜部を乗り越えることがある。このため、フェンスの上端部分を滑りやすいパネルにすることも考えられたが、上端部分にパネルを設けたネットフェンスでは、外観が損なわれるという問題がある。
【０００６】
本発明は上記問題点を解消し、ペットがフェンスを越えるのを確実に防止することができる、ペット等のフェンス越え防止装置を提供することをその課題とする。
【課題を解決するための手段】
【０００７】
前記課題を解決するため、本発明に係るペット等のフェンス越え防止装置は、ペット等の動物が出入りしないように配置されたフェンスの上端又はその近傍から細長板状のプレートを内側又は外側に突出させたことを特徴とする。
【０００８】
前記プレートは下向きに傾斜させて取り付けるのが好ましい。
【０００９】
前記プレートが弾性を有し、かつ水平に設ける構成でもよい。
【００１０】
前記プレートを、前記フェンスの内側又は外側に突出させることに代え、内外両側に取り付けてもよい。
【００１１】
前記フェンスはネットフェンスであるのが望ましい。
【００１２】
また、前記プレートは透光性を備えたものであるのが好ましい。
【発明の効果】
【００１３】
請求項１に係る発明によれば、フェンスの上端又はその近傍から細長板状のプレートが突出しており、ペット等の動物はプレートの表面が滑面となっているので、足掛りがない。したがって、ペット等の動物がフェンスを乗り越えて外側又は内側に出るのを確実に防止することができる。また、プレートが細長状でよいので、フェンスの幅に合わせて穴あけなどの加工が容易であるとともに、敷地内に配置する場合、敷地形状が複雑であっても連続的に配置できるので、敷地対応性がよい。さらに、フェンスとプレートとが別体なので、既存のフェンスに対してもプレートを取り付けることによって、ペット等の動物のフェンス越え防止装置を構成することが可能である。
【００１４】
請求項２に係る発明によれば、プレートは下向きに傾斜するように取り付けられているため、動物は乗り越えようとしても、自分の体重を支えきれないので、乗り越えてフェンスの外側又は内側に出ることができない。
【００１５】
請求項３に係る発明によれば、プレートが水平であっても、弾性があるので、ペット等は乗り越えようとしても、自分の体重でプレートが撓んでしまうので、乗り越えることができない。
【００１６】
請求項４に係る発明によれば、ペット等の動物がフェンスの外に出ることも中に侵入することもできない。
【００１７】
請求項５に係る発明によれば、フェンスはネットフェンスなので、敷地内や屋内に太陽の光が十分に当たり、フェンスの内側が暗くなることがない。
【００１８】
請求項６に係る発明によれば、透光プレートは不透明ではなく、外部から目立たないので、フェンス全体の外観体裁もよい。
【実施例１】
【００１９】
図１はフェンスにペット等のフェンス越え防止装置を設置した態様の一例を示すもので、フェンス１は敷地の一部に家屋２とともに内側が閉じた空間となるように設置されている。フェンス１には人が内外に出入りするための出入口が設けられている。ペットは屋内から出てフェンス１の内側の閉空間Ｓ内で遊ぶことができる。
【００２０】
上記フェンス１はネットフェンスで、敷地内や屋内に太陽の光が十分に当たるようになっている。上記ネットフェンス１は、基本となる大きさの複数の面状のフェンス体３を支柱４を介して連結したもので、フェンス体３と支柱４もまた連結金具によって連結されている。このようなネットフェンス１は公知のものを利用すればよい。
【００２１】
図２に示されるように、フェンス１の上部は敷地内側に傾斜するように設けられている。これに応じて、支柱４の上部も同じ角度で折り曲げられている。フェンス体３は垂直のフェンス体３ａとその上部の傾斜するフェンス体３ｂとから構成され、上部フェンス体３ａは幅狭で、支柱４の折り曲げ部４ａに連結金具５を介して連結されている。図３、図４及び図５に示されるように、連結金具５は支柱４の内外両側に配置された一対の金具５ａからなり、両金具５ａの間にフェンス体３を挟み、ネジで締め付け固定している。
【００２２】
次に、フェンス１の上端近傍から細長板状のプレート６が敷地内側に突出するように取り付けられている。ここではプレート６はポリカーボネート、ガラス等の透光性を有する素材から構成するものとする。しかも、プレート６はその基部よりも先端側が低く傾斜するように取り付けられている。すなわち、Ｌ字形の長尺の取付金具７の一方の片７ａを傾斜部の内側にネジ持ち８を介してネジ止めにより固定しておく。次に、ポリカーボネート、アクリルなどの透光性のある透明又は半透明のプレート６を上記取付金具７の他方の片７ｂにネジ止め固定する。
【００２３】
なお、支柱４の上部折り曲げ部の折り曲げ角度は３０度前後とし、プレート６は支柱４の折り曲げ部４ａに対して直角を成す程度に傾斜させればよい。また、プレート６の幅は１５０ｍｍ程度にすればよい。さらに、プレート６は傾斜した上部フェンス体３ｂの下端から２００〜３００mm程度の部位に取りつければよい。下段のフェンス体３と地面との間の隙間は十分に小さくする。
【００２４】
プレート６は支柱４の部位で他のプレート６と連続するように形成されている。隣り合うプレート６の端部で支柱４に当たる部分は斜めに切欠きされ、切欠き部９を除くその他の端面１０は突合せられている。
【００２５】
ところで、プレート６が真直状に連続する場合は、隣り合うプレート６の端面は長手に対して直角に形成される。プレート６が角度をなすとき、例えば図６のように隣り合うプレート６が入隅を形成する場合や、図７のように隣り合うプレート６が出隅を形成する場合は、隣り合うプレート６の端面１０を長手に対して鈍角又は鋭角に切断して突合せるようにする。このようにして、プレート６は途切れなく連続するようにする。
【００２６】
なお、プレート６はフェンス１の上端から敷地内側に突出するように配設してもよい。
【００２７】
上述のフェンス越え防止装置によれば、フェンス１の上端又はその近傍から敷地内側に細長板状のプレート６が突出している。このため、たとえ、ペット等の動物がネットフェンス１をよじ登ってプレート６までたどりついたとしても、それ以上進むためにはペットはプレート６を下から上に乗り越えなければならない。ところが、プレート６の表面は滑面となっているので、足掛りがない。また、このプレート６はその基部よりも先端側が低く下向きに傾斜するように取り付けられているため、ペットは乗り越えようとしても、足掛りがない状態では自分の体重を支えきれないので、乗り越えることができない。したがって、ペット等がフェンス１を越えるのを確実に防止することができる。
【００２８】
また、プレートが細長状でよいので、フェンスの幅に合わせて穴あけ（取付金具７にネジを止めるための）などの加工が容易である。
【００２９】
さらに、敷地内に配置する場合、敷地形状が複雑であっても連続的に配置できるので、敷地対応性がよい。
【００３０】
また、フェンス１の上部は敷地内側に傾斜しているので、ペットは仰け反り状態でプレート６につかまらなければならないことになり、なおさらフェンス１を乗り越えるのが難しくなる。
【００３１】
さらに、フェンス１はネットフェンスなので、敷地内や屋内に太陽の光が十分に当たり、プレート６は不透明ではなく透光性があるため、フェンス１の内側が暗くなることがない。
【００３２】
また、プレート６は透光性があるため、外部から目立たないので、フェンス全体の外観体裁もよい。但し、プレート６は必ずしも透光性を有するものに限定されない。
【００３３】
なお、上記ペット等のフェンス越え防止装置は必ずしも敷地内に設ける例に限定されない。公園などに設置してもよい。
【実施例２】
【００３４】
次に、図８はペット等のフェンス越え防止装置の他の例を示すもので、支柱４とフェンス体３が上端まで垂直に構成されている例であり、この場合も良好にペット等のフェンス越えを防止することができる。
【実施例３】
【００３５】
図９はプレート６が弾性を有するもので、これを水平に設けた例を示すものである。
プレート６が水平であっても、弾性があるので、ペット等は乗り越えようとしても、自分の体重でプレート６が撓んでしまうので、乗り越えることができない。
【実施例４】
【００３６】
図１０はプレート６をフェンス１の両側に配置したものである。この構成によれば、ペット等の動物が外に出ることも中に侵入することもできない。
【実施例５】
【００３７】
図１１は弾性を有するプレート６を水平に設けるとともに、同じ構成のプレート６をフェンス１の両側に配置したものである。この構成によっても、プレート６に荷重がかかれば撓むので、ペット等の動物が外に出ることも中に侵入することもできない。
【図面の簡単な説明】
【００３８】
【図１】本発明に係るフェンスを模式的に示した平面図である。
【図２】本発明に係るペット等のフェンス越え防止装置の一部の正面図である。
【図３】図２の一部の拡大縦断面図である。
【図４】図３のＸ−Ｘ線上の断面図
【図５】図３の平面図
【図６】上記ペット等のフェンス越え防止装置の入隅部の平面図である。
【図７】上記ペット等のフェンス越え防止装置の出隅部の平面図である。
【図８】上記ペット等のフェンス越え防止装置の他の例の要部拡大図である。
【図９】上記ペット等のフェンス越え防止装置の他の例の要部拡大図である。
【図１０】上記ペット等のフェンス越え防止装置のさらに他の例の要部拡大図である。
【図１１】上記ペット等のフェンス越え防止装置の別の例の要部拡大図である。
【符号の説明】
【００３９】
１  フェンス
３  フェンス体
６  プレート
【図１】
2005330735.tif 000003
【図２】
2005330735.tif 000004
【図３】
2005330735.tif 000005
【図４】
2005330735.tif 000006
【図５】
2005330735.tif 000007
【図６】
2005330735.tif 000008
【図７】
2005330735.tif 000009
【図８】
2005330735.tif 000010
【図９】
2005330735.tif 000011
【図１０】
2005330735.tif 000012
【図１１】
2005330735.tif 000013